(57)【特許請求の範囲】
【請求項１】
制御基板及び操作スイッチ等を収納するための開放面を設けた電装箱と、この開放面に配置された中蓋とを備えた空気調和機において、
前記中蓋には前記操作スイッチの露出する開口が設けられたスイッチカバー部を有し、このスイッチカバー部の側壁にアース線の固定部を設けたことを特徴とする空気調和機。
【請求項２】
前記アース線の固定部にはアース接続金具がねじ止め固定され、このアース接続金具の一側縁がスイッチカバー部の側壁に当接することを特徴とする請求項１に記載の空気調和機。
【請求項３】
前記中蓋に前記アース接続金具の他の側縁に当接するリブを設けたことを特徴とする請求項２に記載の空気調和機。
【請求項４】
前記アース線の固定部はアース線の引き込まれる中蓋の縁近傍に設けられることを特徴とする請求項１〜３のいずれかに記載の空気調和機。
【請求項５】
前記アース線の固定部に接続されるアース線の先端にねじ接続用の端子を締着することを特徴とする請求項４に記載の空気調和機。
【請求項６】
前記ねじ接続用端子をアース線の固定部に接続する場合、前記端子の締着部分が前記スイッチカバー部の側壁に当接可能であることを特徴とする請求項５に記載の空気調和機。
【発明の詳細な説明】
【０００１】
【発明の属する技術分野】
本発明は、空気調和機の電装箱の改良に関する。
【０００２】
【従来の技術】
一般に、空気調和機の本体内には、送風機、熱交換器等の機構部品とともに、それらを駆動制御する電装制御部品等が収納されている。
【０００３】
この電装制御部品は、一般に電装箱と称される箱体に入れられて本体内に収納されている。図８は従来の電装箱の一例を模式的に示した正面図である。従来の電装箱７１には制御基板７２と端子台７３、７４等とを設けており、一方の端子台７４の近傍にはアース線７５を接続するための固定部７６が設けられている。電装箱７１の開放面には、この開放面に配置され、表面に端子台７３、７４を露出する中蓋７７が設けられ、この中蓋７７の表面には、制御基板７２と隔離されて端子台７３、７４に接続されるケーブル７７、７８及びアース線７５が配線されている。
【０００４】
【発明が解決しようとする課題】
ところで、前記制御基板７２の点検・修理時には、中蓋７７を外し電装箱７１内の制御基板７２を取り出して点検・修理を行っている。この際、端子台７３、７４へ接続されたケーブル７８、７９及びアース線７５の着脱作業を伴うため、これらケーブル７８、７９及びアース線７５の着脱作業を容易にして点検・修理作業を容易にすることが求められている。
【０００５】
本発明は、上述に鑑みて成されたものであり、ケーブル及びアース線の着脱作業を容易にして電装箱内に設けられた制御基板等の点検・修理作業を容易にする空気調和機を提供することを目的とする。
【０００６】
【課題を解決するための手段】
上記目的を達成するために、請求項１に記載の発明は、制御基板及び操作スイッチ等を収納するための開放面を設けた電装箱と、この開放面に配置された中蓋とを備えた空気調和機において、前記中蓋には前記操作スイッチの露出する開口が設けられたスイッチカバー部を有し、このスイッチカバー部の側壁にアース線の固定部を設けたことを特徴とする。
【０００７】
請求項２に記載の発明は、請求項１に記載の空気調和機において、前記アース線の固定部にはアース接続金具がねじ止め固定され、このアース接続金具の一側縁がスイッチカバー部の側壁に当接することを特徴とする。
【０００８】
請求項３に記載の発明は、請求項２に記載の空気調和機において、前記中蓋に前記アース接続金具の他の側縁に当接するリブを設けたことを特徴とする。
【０００９】
請求項４  前記アース線の固定部はアース線の引き込まれる中蓋の縁近傍に設けられることを特徴とする請求項１〜３のいずれかに記載の空気調和機。
【００１０】
請求項５に記載の発明は、請求項４に記載の空気調和機において、前記アース線の固定部に接続されるアース線の先端にねじ接続用の端子を締着することを特徴とする。
【００１１】
請求項６に記載の発明は、請求項５に記載の空気調和機において、前記ねじ接続用端子をアース線の固定部に接続する場合、前記端子の締着部分が前記スイッチカバー部の側壁に当接可能であることを特徴とする。
【００１２】
【発明の実施の形態】
以下、本発明を図面に基づいて説明する。図１は本発明の一実施形態における空気調和機の室内機を示す分解斜視図、図２は電装箱に中蓋を装着した正面図、図３は中蓋の正面図、図４は図２の電装箱にケーブルを接続した正面図、図５は電装箱に外蓋を装着した正面図、図６は外蓋の正面図である。
【００１３】
図１において、１Ａは分離型空気調和機の室内機１の硬質合成樹脂製本体フレームを示し、その前面中央の向かって左寄りには、室内熱交換器２が収納される。この熱交換器２の右方には、本体フレーム１Ａの右側面との間に電装箱３が取り付けられ、熱交換器２の下方には左右に渡って硬質樹脂製のドレンパン４が設けられている。
【００１４】
前記熱交換器２は、左右の管板５間に所定間隔で複数枚配設された熱交換フィン６・・と、図示しない室外機（コンデンシングユニット）に接続されて冷媒が流れる冷媒管７と、図示しない室外のボイラーに流量可変弁８を介して接続され温水が流れる温水管９とから構成されている。これら冷媒管７及び温水管９は、管板５及び熱交換フィン６・・を貫通して左右に蛇行状に配設されている。
【００１５】
前記本体フレーム１Ａの下部後方にはクロスフローファン１４が配設されており、このファン１４は電装箱３側に取り付けられたモータ１４Ｍによって回転駆動される。
【００１６】
前記ドレンパン４は、冷房運転時及びドライ運転時に熱交換器２から滴下する結露水を受容するものであり、係るドレンパン４には目詰まりによる満水を検知するための水位センサ１５が配置され、ドレンパン４の排水口４Ａにはドレンホース１６が接続されて後方に引き出されている。
【００１７】
図１、図２において、前記電装箱３は、硬質合成樹脂にて成型され前面に開放し縦長で奥行の長い箱体で、上部に端子台収納部１７、中央部から下部にかけて基板収納部１８が設けられ、基板収納部１８の上下の内面には前後方向にガイドレール（図示せず）が形成されている。端子台収納部１７には３Ｐと２Ｐの２つの端子台２２、２３が並んで取り付けられ、基板収納部１８には制御基板２４が縦向き、かつ、制御基板２４の上下の縁をガイドレールに係合されて摺動自在に収納されている。
【００１８】
この電装箱３の左上側面１ヵ所と、右側面の上下２ヵ所には電装箱３を本体フレーム１Ａに固定するための本体固定部２５ａ、２５ｂ、２５ｃが設けられ、左側面の下部に水位センサ２６ａを取り付けるためのセンサ固定部２６が設けられ、電装箱３の下部には取付ねじ用ボス２７が設けられ、後部には室内機１と室外機間に配線されるユニット間ケーブル２８を後方から固定するためのケーブル固定部２９が設けられている。
【００１９】
図２、図３において、前記電装箱３の前方開放面には中蓋３１が装着される。この中蓋３１は、図３に示すように、電装箱３の開放面を覆い、上部に端子台カバー部３２、中央から下部にかけての左側にケーブル通路部３３、右側にスイッチカバー部３４が形成されている。端子台カバー部３２の下方には３Ｐ・２Ｐの端子台２２、２３の下部を表面に露出する端子台開口部３５を有している。スイッチカバー部３４は、縦長の長方形をして凸状に形成され、前記制御基板２４に取り付けられ前方から操作されるアドレススイッチ３７及び試運転スイッチ３８を露出するための２つの開口３９、３９を有している。スイッチカバー部３４の左側には左側壁３４ａの中央部から左方向に延びてケーブルを挟み込むための横棒４１が形成されている。ケーブル通路部３３の下部には、左側壁３４ａから所定間隔を有して左方にはリブ４４と、スイッチカバー部３４の左側壁３４ａに近接する位置にねじ孔を有するアース取付用ボス（アース線の固定部）４３とが形成されている。前記ボス４３にはアース接続金具（アース線の固定部）４５がねじ止め固定される。
【００２０】
図４、図７において、前記アース接続金具４５は、縦長長方形の金属板に上下２つの円形の孔４６ａ、４６ｂが形成され、右縁と下縁とが後方にＬ形に折曲形成されている。このアース接続金具４５の下の孔４６ｂが２本の中継用アース線４７ｅ、４７ｐと一緒に取付ねじにてアース取付用ボス４３（図３参照）にねじ止め固定される。このねじ止め固定の際、アース接続金具４５は、右縁がスイッチカバー部３４の左側壁３４ａに当接し、左縁が前記リブ４４に当接するので、アース接続金具４５の回動が押えられ容易に固定することができる。なお、中継用アース線４７ｅ、４７ｐは、一方が熱交換器２に、他方が制御基板２４に接続され、中蓋３１の下縁から中蓋３１の裏側を通り配線され接続される。この接続作業は室内機１の製造時に行われる。
【００２１】
また、前記アース接続金具４５の上の孔４６ａには、アースねじ４９が取り付られる。このアースねじ４９には、空気調和機の設置時にアース線４８が接続され、アース線４８は、室内機１の後方から引き込まれ、電装箱３の下方及び中蓋３１の下縁を通って接続される。このアース線４８に丸形端子５０を締着した場合には、丸形端子５０の締着部分がスイッチカバー部３４の左側壁３４ａに当接し、丸形端子５０の回動を押えるので、アース線４８の容易に取り付けることができる。
【００２２】
前記中蓋３１の上縁及び両側縁には電装箱３の両側板に係合する係合部５２、５３、５４が設けられ、これらを係合することにより中蓋３１が電装箱３に係止される。また、中蓋３１の右上部には中蓋３１を覆う外蓋５１を係止するための係合部５５が設けられている。なお、アドレススイッチ３７は、例えば、同じ部屋に複数の空気調和機を設置した場合にこれらの空気調和機を個別にリモコン操作可能にする設定スイッチである。試運転スイッチ３８は、強制的に暖房または冷房運転する場合に用いるスイッチである。
【００２３】
前記中蓋３１の端子台開口部３５には、端子台２２、２３のケーブル接続用の穴が露出している。この穴にユニット間ケーブル２８が接続される。ユニット間ケーブル２８は、室外機から部屋の壁孔を通して室内機１内に引き込まれ、電装箱３のケーブル固定部２９に固定され電装箱３の下部を通り電装箱３内に引き込まれる。さらに、ケーブル通路部３３を通り、横棒４１に挟み込まれ、３Ｐと２Ｐの端子台２２、２３に接続される。
【００２４】
図５、図６において、前記中蓋３１の前方には、外蓋５１が装着される。この外蓋５１は前記中蓋３１の端子台開口部３５及びケーブル通路部３３を覆っている。この外蓋５１の両縁には電装箱３と係合する係合部５６、５７が形成され、下部にねじ孔５８が形成されている。この外蓋５１は、前記中蓋３１の係合部５５に係止され、前記係合部５６、５７が電装箱３に係合され、ねじ孔５８が取付ねじにて取付ねじ用ボス２７にねじ固定されることにより、電装箱３にしっかり固定される。
【００２５】
このように構成された機構部品及び電装制御部品等の部品類を隠蔽するかたちで本体フレーム１Ａの前側には、図１に示すように、本体カバー６１が取り付けられる。この本体カバー６１の前面中央部には前記熱交換器２の前方に対応して格子状の開口が形成されるとともに、本体カバー６１の右側には電装箱３の前面に対応して開口６２が形成されており、この開口６２を通して電装箱３の前面に設けられた前記スイッチ類３７、３８の操作を行うことができる。本体カバー６１の前方にはスリット状の複数の吸込口６３を有する前面グリル６４が取り付けられ、この前面グリル６４は上辺を中心にして回動自在に本体カバー６１に取り付けられる。前面グリル６４と本体カバー６１の間には左右に２枚のフィルタ６５が介設され、これらフィルタ６５は、下方に抜き差し自在に本体カバー６１に保持される。
【００２６】
前記本体カバー６１の下部には左右に渡って吹出口６６が形成されており、吹出口６６には複数の左右風向調節羽根６７が回動自在に取り付けられる。また、吹出口６６には上下吹出方向を調節するフラップ６８が取り付けられており、このフラップ６８は右端のフラップモータ６８Ｍにて駆動される。
【００２７】
以上説明したように、本実施形態の空気調和機は、制御基板２４及び操作スイッチ３７、３８等が収納される電装箱３と、この電装箱３の開放面を覆う中蓋３１とを備え、この中蓋３１に凸状に形成されるスイッチカバー部３４とリブ４４とを設け、これらの間に長方形のアース接続金具４５を有するアース取付用ボス４３を設けたので、アース接続金具４５は、その左右の縁がスイッチカバー部３４の側壁３４ａとリブ４４とに当接して押えられ、容易にねじ止め固定することができる。
【００２８】
また、アース取付用ボス４３には３本のアース線４７ｅ、４７ｐ、４８が接続されるとともに、アース取付用ボス４３がアース線の引き込まれる中蓋３１の下縁近傍に設けられるので、これらのアース線４７ｅ、４７ｐ、４８を接続したまま、中蓋３１を外すことができ、制御基板２４等の点検・修理作業を軽減し、制御基板２４の点検・修理を容易にすることができる。
【００２９】
また、ユニット間ケーブル２８及びアース線４８と、電装箱３内の制御基板２４等の電気部品とを中蓋３１により隔離するので、ユニット間ケーブル２８及びアース線４８の着脱時に制御基板２４等の電気部品を傷付けることなく安全に保つことができる。
【００３０】
以上、一実施形態に基づいて本発明を説明したが、本発明はこれに限定されるものではない。
【００３１】
本実施形態では、分離型壁掛け型の空気調和機で説明しているが、一体型の空気調和機、埋込み型空気調和機や、天井カセット型空気調和機であっても良い。
【００３２】
【発明の効果】
以上説明したように、本発明の空気調和機は、制御基板及び操作スイッチ等が収納される電装箱と、この電装箱の開放面を覆う中蓋とを備え、この中蓋に凸状に形成されるスイッチカバー部とリブとを設け、これらの間にアース接続金具を有するアース線の固定部を設けたので、アース接続金具は、両縁がスイッチカバー部とリブとに当接して押えられネジ止め作業を容易にすることができる。また、アース線の固定部に固定されるアース線に接続用端子を締着することにより、この端子の締着部分がスイッチカバー部の側壁に当接して押えられアース線の接続を容易にすることができる。
【００３３】
また、アース線の固定部には３本のアース線が接続されるとともに、アース線の固定部がアース線の引き込まれる中蓋の縁近傍に設けられるので、これらのアース線を接続したまま、中蓋を外すことができ、制御基板の点検・修理作業を容易にすることができる。
【００３４】
また、空気調和機の設置時に取り付けるアース線と、電装箱内の制御基板等の電気部品とを中蓋により隔離しているので、アース線に加わる外力が制御基板等の加わることなく安全に保つことができる。
【図面の簡単な説明】
【図１】本発明の一実施形態における空気調和機の室内機を示す分解斜視図である。
【図２】図１の電装箱に中蓋を装着した正面図である。
【図３】図２の中蓋の正面図である。
【図４】図２の電装箱にケーブルを接続した正面図である。
【図５】図１の電装箱に外蓋を装着した正面図である。
【図６】図５の外蓋の正面図である。
【図７】アース接続金具の斜視図である。
【図８】従来の電装箱の一例を模式的に示した正面図である。
【符号の説明】
３  電装箱
２４  制御基板
２７  ねじ取付用ボス
２８  ユニット間ケーブル
３１  中蓋
３３  ケーブル通路部
３４  スイッチカバー部
３４ａ  側壁
３７  アドレススイッチ
３８  試運転スイッチ
３９  開口
４３  アース取付用ボス（アース線の固定部）
４４  リブ
４５  アース接続金具（アース線の固定部）
４７ｅ、４７ｐ  中継用アース線
４８  アース線
５１  外蓋
６１  本体カバー
６２  開口
【図１】
0003749164.tif 000002
【図２】
0003749164.tif 000003
【図３】
0003749164.tif 000004
【図４】
0003749164.tif 000005
【図５】
0003749164.tif 000006
【図６】
0003749164.tif 000007
【図７】
0003749164.tif 000008
【図８】
0003749164.tif 000009